(57)【要約】【課題】組み立て作業時において上記液晶表示パネルその他の電気光学パネルの外縁部の位置を視認しやすくすることにより、電気光学パネルの組み込み時におけるパネルの損傷を防止することのできる電気光学装置の構造及び製造方法を提供する。【解決手段】本発明の電気光学装置１００は、外周部に遮光領域２５が形成された電気光学パネル２０と、該電気光学パネルを直接若しくは間接的に保持する保持枠３０と、前記電気光学パネルの外縁部と前記保持枠の前記電気光学パネルの外縁部を裏面側から支持する支持面との間に配置されるシート部材４０とを備えた電気光学装置であって、前記シート部材の前記電気光学パネル側の表面色が前記保持枠の隣接部分及び前記遮光領域の表面色のいずれとも異なる色調で構成されていることを特徴とする。【選択図】図１
2008233455.tif 000002
【特許請求の範囲】
【請求項１】
外周部に遮光領域が形成された電気光学パネルと、該電気光学パネルを直接若しくは間接的に保持する保持枠と、前記電気光学パネルの外縁部と前記保持枠の前記電気光学パネルの外縁部を裏面側から支持する支持面との間に配置されるシート部材とを備えた電気光学装置であって、
前記シート部材の前記電気光学パネル側の表面色が前記保持枠の隣接部分及び前記遮光領域の表面色のいずれとも異なる色調で構成されていることを特徴とする電気光学装置。
【請求項２】
前記シート部材の前記電気光学パネル側の表面色は前記保持枠の隣接部分及び前記遮光領域の表面色より彩度の高い有彩色であることを特徴とする請求項１に記載の電気光学装置。
【請求項３】
前記シート部材の前記電気光学パネル側の表面色は前記保持枠の隣接部分及び前記遮光領域の表面色より正反射率の高い色であることを特徴とする請求項１又は２に記載の電気光学装置。
【請求項４】
前記電気光学パネルの背後に照明体が配置され、前記シート部材は、前記照明体と前記電気光学パネルの間に配置される遮光シートで構成されることを特徴とする請求項１乃至３のいずれか一項に記載の電気光学装置。
【請求項５】
前記遮光シートは、前記表面色を呈する表面層と、該表面層の背後に配置された白色若しくは黒色の遮光層とが積層した構造を有することを特徴とする請求項４に記載の電気光学装置。
【請求項６】
前記表面層の背後には白色の前記遮光層と黒色の前記遮光層が積層された状態で配置されていることを特徴とする請求項５に記載の電気光学装置。
【請求項７】
前記表面層の背後に白色の前記遮光層が隣接していることを特徴とする請求項５又は６に記載の電気光学装置。
【請求項８】
前記電気光学パネルの外縁部は、前記遮光領域の外側に透明な端縁部を備えていることを特徴とする請求項１乃至７のいずれか一項に記載の電気光学装置。
【請求項９】
前記シート部材は両面接着シートであることを特徴とする請求項１乃至８のいずれか一項に記載の電気光学装置。
【請求項１０】
請求項１乃至９のいずれか一項に記載の電気光学装置と、該電気光学装置を制御する制御手段とを搭載したことを特徴とする電子機器。
【発明の詳細な説明】
【技術分野】
【０００１】
本発明は電気光学装置及び電子機器に係り、特に、薄い電気光学パネルを備えた電気光学装置に好適な構造に関する。
【背景技術】
【０００２】
一般に、小型の表示パネルを構成する液晶表示体においては、バックライトを組み込んだ保持枠の内部に遮光性両面接着テープを介して液晶表示パネルを組み込むことで、液晶表示パネルを保持枠に固定するとともに、当該液晶表示パネルの駆動領域以外の不要部分にバックライトの照明光が照射されないように遮光している。
【０００３】
上記の遮光性両面接着テープは遮光機能と接着機能を共に備えたものであり、通常は遮光層の表裏両面に粘着層を形成したものが用いられる。この遮光層は、たとえば透明なＰＥＴフィルムの一方の面に黒色物質を印刷することにより形成される（たとえば、以下の特許文献１参照）。
【特許文献１】特開２００２−９８９４５号公報
【発明の開示】
【発明が解決しようとする課題】
【０００４】
しかしながら、前述の遮光性両面接着テープは、遮光性を確保するために表面が黒色や白色を呈するものとなっているため、液晶表示パネルの外周部に形成される遮光領域の色（通常は黒色或いはこれに近い濃色である。）と区別がつきにくい。このため、保持枠の内部に液晶表示パネルを組み込む際に、液晶表示パネルの外縁部が保持枠の上面に乗り上げていてもこれに気づかずに液晶表示パネルを押し込んでしまう結果、液晶表示パネルを割ってしまうという事故が起こる虞がある。
【０００５】
特に、近年は液晶表示装置の薄型化の要請により、液晶表示パネルの厚みが０．５ｍｍ以下と極めて薄くなってきているとともに保持枠の段差もこれに対応して低くなってきていることから、白色の保持枠、及び、その内側の段差下に配置される黒色の遮光性両面接着テープの上に液晶表示パネルの外縁部が配置されると、液晶表示パネルの外縁部の位置が視認しにくくなり、当該外縁部が段差上に乗り上げていても気がつかないケースが多くなっている。
【０００６】
そこで、本発明は上記問題点を解決するものであり、その課題は、組み立て作業時において上記液晶表示パネルその他の電気光学パネルの外縁部の位置を視認しやすくすることにより、電気光学パネルの組み込み時におけるパネルの損傷を防止することのできる電気光学装置の構造を実現することにある。
【課題を解決するための手段】
【０００７】
斯かる実情に鑑み、本発明の電気光学装置は、外周部に遮光領域が形成された電気光学パネルと、該電気光学パネルを直接若しくは間接的に保持する保持枠と、前記電気光学パネルの外縁部と前記保持枠の前記電気光学パネルの外縁部を裏面側から支持する支持面との間に配置されるシート部材とを備えた電気光学装置であって、前記シート部材の前記電気光学パネル側の表面色が前記保持枠の隣接部分及び前記遮光領域の表面色のいずれとも異なる色調で構成されていることを特徴とする。
【０００８】
この発明によれば、シート部材の前記電気光学パネル側の表面色が保持枠の隣接部分（保持枠におけるシート部材に少なくとも隣接する部分）と遮光領域の表面色のいずれとも異なる色調で構成されていることにより、電気光学パネルの外縁部の背後に保持枠の隣接部分と遮光領域のいずれとも異なる表面色が存在することとなるため、電気光学パネルを組み込む際に電気光学パネルの外縁部の位置を視認しやすくなることから、電気光学パネルに損傷を与える虞を低減できる。
【０００９】
本発明において、前記シート部材の前記電気光学パネル側の表面色は前記保持枠の隣接部分及び前記遮光領域の表面色より彩度の高い有彩色であることが好ましい。これによれば、シート部材の表面色が保持枠の隣接部分及び遮光領域の表面色より彩度の高い有彩色であれば、両者を明確に識別することが可能になるため、電気光学パネルの外縁部の位置をさらに視認しやすくすることができる。この場合に、保持枠の隣接部分及び遮光領域の表面色が無彩色であればさらに識別性を高めることができる。
【００１０】
本発明において、前記シート部材の前記電気光学パネル側の表面色は前記保持枠の隣接部分及び前記遮光領域の表面色より正反射率の高い色であることが好ましい。たとえば、保持枠の隣接部分及び遮光領域が白又は黒のいずれかであり、上記シート部材の表面色が金属色である場合などである。これによれば、色相が比較的近い場合でも反射率が異なるために、両者を明確に識別することが可能になるため、電気光学パネルの外縁部の位置をさらに視認しやすくすることができる。ここで、上記の金属色とは金色、銀色、銅色などの正反射率の高いいわゆるメタリックカラーを言う。
【００１１】
本発明において、前記電気光学パネルの背後に照明体が配置され、前記シート部材は、前記照明体と前記電気光学パネルの間に配置される遮光シートで構成されることが好ましい。これによれば、遮光シートにより電気光学パネルの外周部に設けられた遮光領域の外側の光漏れを防止することができるが、この遮光シートの表面色を上記のように保持枠の隣接部分及び遮光領域の表面色のいずれとも異なる色調とすることで、組み立て作業時のパネルの損傷の虞を低減できる。
【００１２】
この場合において、前記遮光シートは、前記表面色を呈する表面層と、該表面層の背後に配置された白色若しくは黒色の遮光層とが積層された構造を有することが好ましい。これによれば、遮光シートが上記表面色を呈する表面層の背後に白色若しくは黒色の遮光層が積層された構造を有することで、表面色の如何に拘わらず、また、全体として薄く構成された場合でも、遮光性をより高めることができ、光漏れを防止できる。
【００１３】
また、前記表面層の背後には白色の前記遮光層と黒色の前記遮光層が積層された状態で配置されていることが好ましい。これによれば、白色の遮光層と黒色の遮光層を積層することで遮光性をさらに高めることができる。
【００１４】
さらに、前記表面層の背後に白色の前記遮光層が隣接していることが好ましい。これによれば、表面層の背後に白色の遮光層が隣接していることで、表面層の本来の色に近い表面色を得ることができる。すなわち、表面層の背後に黒色その他の濃色の遮光層が存在すると、表面層が薄い場合には本来の色がくすんだり濃色化したりして、表面色が本来の色とは異なるものとなるため、電気光学パネルの外縁部の視認性が低下するが、上記構成ではこれを回避することができる。
【００１５】
本発明において、前記電気光学パネルの外縁部には、前記遮光領域の外側に透明な端縁部を備えていることが好ましい。一般に、多数個取りの製造プロセスにて製造された電気光学パネル、たとえばマザーガラスを用いたマザーパネルを分断することで製造された電気光学パネルでは、遮光領域を構成する遮光層を挟んで基板を分断することが難しいために分断部位には遮光層を形成しないことから、遮光領域の外側に上記分断部位の分断線の片側に相当する遮光層の存在しない透明な端縁部が形成されることがある。この場合には、当該端縁部が上記シート部材の上に配置されるとその表面色が透明な端縁部に写り込むので、電気光学パネルの外縁部の位置がさらに視認しやすくなる。
【００１６】
本発明において、前記シート部材は両面接着シートであることが好ましい。これによれば、電気光学パネルの固定機能を同時に得ることができ、また、遮光シートであれば遮光層をも兼ねることができる。
【００１７】
次に、本発明の電子機器は、上記いずれかに記載の電気光学装置と、該電気光学装置を制御する制御手段とを搭載したことを特徴とする。このような電子機器としては、上記電気光学装置を表示装置として搭載したモニタ装置、テレビジョン装置、電子時計、携帯電話機などが挙げられる。
【００１８】
次に、本発明の電気光学装置の製造方法は、外周部に遮光領域が形成された電気光学パネルと、該電気光学パネルを直接若しくは間接的に保持する保持枠と、前記電気光学パネルの外縁部と前記保持枠の前記電気光学パネルの外縁部を裏面側から支持する支持面との間に配置されるシート部材とを備えた電気光学装置の製造方法において、前記シート部材の前記電気光学パネル側の表面色を前記保持枠の隣接部分と前記遮光領域の表面色のいずれとも異なる色調に予め構成し、前記シート部材上に前記電気光学パネルを配置し、当該電気光学パネルの外縁部が前記保持枠の内側に配置される態様で前記電気光学パネルを前記保持枠内に組み込む工程と、を具備することを特徴とする。
【００１９】
また、本発明の電気光学装置の別の製造方法は、照明体と、該照明体に重ねて配置され外周部に遮光領域が形成された電気光学パネルと、該電気光学パネルを直接若しくは間接的に保持する保持枠と、前記照明体と前記電気光学パネルの外縁部との間に配置された遮光シートとを有する電気光学装置の製造方法において、前記照明体若しくは前記保持枠上に、前記保持枠の隣接部分と前記遮光領域の表面色のいずれとも異なる色調の表面色を備えた前記遮光シートを配置する工程と、前記遮光シート上に前記電気光学パネルを配置し、当該電気光学パネルの外縁部が前記保持枠の内側に配置される態様で前記電気光学パネルを前記保持枠に組み込む工程と、を具備することを特徴とする。
【発明を実施するための最良の形態】
【００２０】
次に、添付図面を参照して本発明の実施形態について詳細に説明する。
【００２１】
［第１実施形態］
図１は本発明に係る第１実施形態の電気光学装置１００の全体構成を示す分解斜視図、図２は図１のII−II線に沿った部分縦断面図である。本実施形態の電気光学装置１００は、面状光源として構成される照明体１０と、この照明体１０の上側に重ねて配置される電気光学パネル２０と、照明体１０及び電気光学パネル２０を直接若しくは間接的に保持する保持枠３０とを有している。
【００２２】
照明体１０は電気光学装置２０の背後に配置されてバックライトとして機能するものであり、図示例の場合、いわゆるサイドライト型（エッジライト型）の照明装置により構成されている。照明体１０は、ＬＥＤ（発光ダイオード）等の点状光源よりなる１又は複数の光源１１と、この光源１１から放出された光を伝播させ、表面より出射する導光板１２と、導光板１２の背後（裏面上）に配置される反射シート１３と、導光板１２の表面上に配置される１又は複数の光学シート（光拡散シートや集光用プリズムシートなど）１４とを備えている。
【００２３】
電気光学パネル２０は、ガラス等よりなる基板２１と２２の間に図示しない液晶等の電気光学物質を配置してなるものであり、図示例の場合には液晶表示パネルを構成する。基板２１と２２の外面上にはそれぞれ偏光板２６及び２７が貼着等によって配置されている。基板２１には基板２２の外形より外側へ張り出した基板張り出し部２１Ｔが設けられている。この基板張り出し部２１Ｔ上には、電気光学パネル２０の駆動領域（表示領域）２０Ａ内から引き出された図示しない配線が設けられ、また、これらの配線と導電接続された駆動回路２８が実装されている。なお、この基板張り出し部２１Ｔには、外部より電源電位や映像信号等を供給するための図示しない配線部材、たとえばフレキシブル配線基板などが接続される。
【００２４】
本実施形態の場合、電気光学パネル２０は厚みが０．５ｍｍ以下、たとえば、０．３〜０．４ｍｍ程度に構成された極めて薄いパネル構造を有している。これは、携帯電話機用の液晶表示パネルのように近年の電子機器の小型化に伴った小型化及び薄型化の結果である。このような薄型の電気光学パネル２０では、上記基板２１，２２として０．１〜０．３ｍｍといった極めて薄いガラスやプラスチック等よりなる基板が用いられる。このような基板は本来的には十分な耐衝撃性を備えたものとされるが、組み立て作業中の不用意な取り扱いによって容易に損傷を受ける場合がある。
【００２５】
電気光学パネル２０の外周部には遮光層２５が上記駆動領域２０Ａを取り囲むように枠状に構成されている。図示例では遮光層２５は基板２２の内面上に形成されている。遮光層２５によって形成される遮光領域は、駆動領域２０Ａの外側にある、液晶が十分に制御されていない外縁範囲の光漏れを防止するためのものである。遮光層２５は、たとえば、基板２１，２２の内面上に形成された黒色樹脂や金属等よりなる遮光性素材で構成される。この遮光性素材としては、たとえば、黒色樹脂のほかに、Ｃｒ（クロム）、ＣｒＯ（酸化クロム）、ＣｒＮ（窒化クロム）、ＣｒＯＮ（窒化酸化クロム）又はこれらの２以上を積層した複合膜を用いることができる。なお、いずれの場合でも、駆動領域２０Ａの表示の視認性を妨げないために電気光学パネル２０を視認側（図示上側）より視認したときに遮光層２５が黒色若しくはこれに近い濃色に視認されるものであることが望ましい。
【００２６】
電気光学パネル２０には、上記遮光層２５の外縁とパネルの端面２０ｘとの間に透明な端縁部２９が設けられている。この端縁部２９は、複数の電気光学パネルに相当する部分を一体に含むマザーパネルを分断して個々の電気光学パネル２０を形成する製造プロセスにおいて、マザーパネルの分断部位の分断線の片側に相当する部分として形成される。この場合、マザーパネルの分断部位に遮光層２５が介在しているとスクライブ・ブレイク法により分断しにくくなることから、上記分断部位には遮光層２５を形成しないようにした結果、上記端縁部２９は上述のように遮光層２５が存在しない透明な部分となっている。
【００２７】
本実施形態では、照明体１０は保持枠３０に収容され、この保持枠３０の上部に上記電気光学パネル２０が位置決めされた状態で保持される。保持枠３０は、高い光反射率を備えた素材、たとえば白色ポリエチレン等の樹脂（絶縁体）で構成される。この保持枠３０は本来的にバックライトを構成するためのバックライトケースとして用いられるものであるが、多くの場合、本実施形態のように電気光学パネル２０の概略の位置決めを行うためのケースとしても機能する。
【００２８】
図１は保持枠３０に照明体１０を装着したところに電気光学パネル２０を組み込む際の状況をも示している。保持枠３０に対して上記光源１１、導光板１２、反射シート１３及び光学シート１４を順次に組み込んだ後に、矩形枠状に構成された遮光性両面接着テープ４０を照明体１０上に取り付ける。この遮光性両面接着テープ４０は、表裏両面に粘着層を備えた両面接着テープであるとともに、遮光性を備えた遮光シートでもある。
【００２９】
図２に示すように、保持枠３０の下部にある照明体収容部３１に上記導光板１２、反射シート１３及び光学シート１４が収容されている。また、保持枠３０の上部にあるパネル収容部３２には、上記照明体収容部３１上にある平坦な支持面３２ａが設けられ、この支持面３２ａ及び上記光学シート１４の表面に遮光性両面接着テープ４０の裏面が接着されている。したがって、この遮光性両面接着テープ４０は照明体１０を保持枠３０内に保持するための保持機能を有している。
【００３０】
また、遮光性両面接着テープ４０上には電気光学パネル２０の外周部が接着固定され、これによって電気光学パネル２０が保持枠３０の上記パネル収容部３２内に保持されている。すなわち、遮光性両面接着テープ４０は電気光学パネル２０を保持枠３０の内部に保持するための保持機能をも有している。そして、このように構成されている結果、電気光学パネル２０の外縁部は照明体１０及び保持枠３０に固定された遮光性両面接着テープ４０に支持された状態となる。なお、本実施形態の遮光性両面接着テープ４０は本発明の上記シート部材に相当している。
【００３１】
本実施形態において、電気光学パネル２０の上記遮光層２５を有する遮光領域は黒色（或いは黒色に近い濃青色）とされ、保持枠３０の表面は白色とされている。この場合、従来においては、遮光性両面接着テープ４０の表面色（電気光学パネル２０側から見たときの色調）が黒色となっていたため、電気光学パネル２０を遮光性両面接着テープ４０上に配置したときに、電気光学パネル２０の外縁部（上記黒色の遮光領域が存在する部分）の位置が背後の保持枠３０の白色及び遮光性両面接着テープ４０の黒色に紛れて極めて視認しにくい状態となっていた。このため、たとえば、図２に二点鎖線で示すように、電気光学パネル２０の外縁部が保持枠３０の上部（上記パネル収容部３２の外側にある上面３２ｂ上）に乗り上げていても、これに気づかずにそのまま電気光学パネル２０を保持枠３０に押し付けることでパネルの端縁部が割れてしまうことがあった。このような事態は、電気光学パネル２０の薄型化が進んでその厚みが０．５ｍｍ以下といったものも出現し、しかも、これに対応して上記支持面３２ａと上面３２ｂとの段差量も極めて小さくなっていることに起因する。
【００３２】
上記の状況は、上記のように電気光学パネル２０の外縁部において上記遮光層２５による遮光領域より外側に透明な端縁部２９が存在することにも影響される。すなわち、電気光学パネル２０の端縁部２９自体は透明であるのでその存在自体が気づきにくい上に、この透明な端縁部２９に背後の保持枠３０の白色が映り込む場合もあることから、いずれの場合でも当該端縁部２９が白色の保持枠３０の上面３２ｂ上に乗り上げていることに気づくことは極めて困難である。
【００３３】
本実施形態では、上記遮光性両面接着テープ４０の表面色を保持枠３０の少なくとも隣接部分及び遮光領域の表面色とは異なるものとしている。特に、当該表面色を赤色とすることが好ましい。これによって、電気光学パネル２０を保持枠３０の上に配置したとき、電気光学パネル２０の外縁部の背後に赤色の遮光性両面接着テープ４０が存在することから、背後の赤色が見えるか否かを指標とすることで、電気光学パネル２０の外縁部の位置が視認しやすくなる。この赤色は、白色の保持枠３０と黒色の遮光領域の双方に対して異なる色調を有し、十分な識別性を備えているので、端縁部２９が保持枠３０の上面３２ｂ上に乗り上げている場合には背後の赤色が見えなくなり、端縁部２９が保持枠３０の内側に配置され、遮光性両面接着テープ４０上に配置されていれば、電気光学パネル２０の外縁部と保持枠３０の隙間に赤色が視認されたり、或いは、隙間がなくても端縁部２９を通して赤色が視認されたりするので、いずれの場合でも電気光学パネル２０の外縁部の位置を容易に確認することができる。
【００３４】
なお、上記の遮光性両面接着テープ４０の表面色は赤色に限らず、たとえば、黄色、緑色、青色などの他の有彩色であっても構わない。これらの有彩色であれば、保持枠３０の白色と遮光領域の黒色の双方に対してその色度に基づいて十分な識別性を備えたものとすることができるからである。特に、明度及び彩度の高い有彩色であることが望ましい。
【００３５】
この場合に、一般的には上記シート部材（遮光性両面接着テープ４０或いは後述する遮光シート４０Ａ）の表面色と、保持枠３０及び遮光領域の表面色との色差が共に以下のようになっていることが好ましい。すなわち、ＣＩＥ１９７６Ｌａ＊ｂ＊表色系において使用される色差式である、
ΔＥ＝[ΔＬ２＋ΔＣ２＋ΔＨ２]１／２  （ここで、ΔＬは明度差、ΔＣは彩度差、ΔＨは色相差）
を用いて、ΔＥが少なくとも３．０以上であることが好ましく、特に、６．０以上であることが望ましい。最適な条件としては、ΔＥが１２．０以上で基本的に別系統の色として認識されるものであることが効果的である。
【００３６】
また、上記の状況では、銀色、金色などの金属色（メタリックカラー）であってもよい。このような金属色は保持枠３０の白色と遮光領域の黒色の双方に対してその正反射率によって十分な識別性を備えたものとすることができるからである。この場合、正反射率が１５％以上異なることが好ましく、特に正反射率が２５％以上異なることが望ましい。また、最適な条件としては正反射率が３５％以上異なることが効果的である。
【００３７】
図３は上記遮光性両面接着テープ４０の断面構造を示す拡大部分断面図である。遮光性両面接着テープ４０は、遮光シート４０Ａの表裏両面に粘着層４５，４６が形成されたものである。遮光シート４０Ａは、背後（照明体１０側）から、白色素材よりなる第１層４１、黒色素材よりなる第２層４２、白色素材よりなる第３層４３、赤色素材よりなる第４層４４を積層した構造を有する。ここで、第４層の色調については上記のように他の色調であっても構わない。各層は樹脂材料、紙材料、金属材料、セラミック材料等で構成できるが、いずれか一つの層（たとえば第１層）を樹脂等よりなる基板とし、他の層は顔料を含む塗料などを印刷すること等によってその上に積層してもよい。また、透明基板上に上記層を積層しても構わない。
【００３８】
上記遮光シート４０Ａにおいて、第１層４１及び第２層４２は主として遮光性を確保するためのものであり、共に５μｍ以上の厚みを有することが好ましく、特に８μｍ以上の厚みであることが望ましい。ただし、厚みが増加すると電気光学パネル２０の厚み方向の位置決め精度が低下するので、共に３０μｍ以下であることが好ましく、１５μ以下であることが望ましい。図示例では第１層が１３μｍ程度、第２層が９μｍ程度の厚みを有する。
【００３９】
また、第３層４３は主として第４層で構成される表面色への影響を低減するために設けられる層であり、その厚みは０．５μｍ以上５μｍ以下であることが好ましく、特に１μｍ以上３μｍ以下であることが望ましい。もっとも、遮光性能を担保するための層、すなわち、上記第１層４１を兼ねる場合には第１層４１と同様の厚みで構わない。
【００４０】
第４層４４は本発明の上記表面層に相当するもので、上記表面色を得るための層であり、上述のような表面色を得るための色調を備えた素材で構成される。その厚みは０．５μｍ以上５μｍ以下であることが好ましく、特に１μｍ以上３μｍ以下であることが望ましい。もっとも、本実施形態よりも層数が少ない場合には上記厚みに限定されるものではなく、上記第１層又は第２層で示した厚みであってもよく、それ以上の厚みであっても構わない。なお、上述の表面色を得るために、上記の粘着層４６の光透過特性を考慮して所望の上記表面色が得られるように予め第４層４４の色調を調整しておくことが望ましい。
【００４１】
図４は上記遮光性両面接着テープの他の構造例を示す拡大部分断面図である。この構造例では、遮光性両面接着テープ４０′の遮光シート４０Ａ′が３層構造で構成され、第１層４１′が黒色素材よりなり、第２層４２′が白色素材よりなり、第３層４３′が赤色素材よりなる。ここで、第３層４３′は上述のような他の表面色（他の有彩色その他の色）であっても構わない。なお、粘着層４５，４６は上記と同様である。
【００４２】
この構造例では、黒色の第１層４１′と白色の第２層４２′を重ねることにより遮光性を確保するとともに、第３層４３′の背後に隣接した白色の第２層４２′によって第３層４３′の表面色を確保している。このような構成は、表面色が如何なる色であっても、或いは、薄い層構造であっても、遮光性を確保しつつ所望の表面色を実現することのできる最小限の構成となっている。もちろん、一般的には、遮光シート４０Ａ′自体をある程度厚く形成しても支障がない場合には上記構成に限定されるものではなく、たとえば、第２層４２′と第３層４３′の２層構造であってもよく、さらには第３層４３′のみの単層構造であっても構わない。
【００４３】
図５は上記遮光性両面接着テープのさらに別の構造例を示す拡大部分断面図である。この遮光性両面接着テープ４０″では、第１層４１″が白色素材よりなり、第２層４２″が銀色素材で構成された遮光シート４０Ａ″を備えている。銀色素材の表面色は、いわゆる金属色（メタリックカラー）と呼ばれるもので、たとえば白色素材よりも散乱光が少なく、正反射率の高い光学特性を有する素材により得られるものである。このように構成すると、第１層４１″と第２層４２″の積層構造によって十分な遮光性を確保できるとともに、第２層４２″の表面色が保持枠３０及び電気光学パネル２０の遮光領域と十分な識別性を有しているものとなるため、保持枠３０に対する組み込み作業時において電気光学パネル２０に損傷を与える虞を低減できる。なお、本構成例では表面色が銀色となっているが、いわゆる金属色であれば、白色や黒色との間に十分な識別性を確保することができる。このような金属色としては、上記銀色のほかに、金色、銅色などが挙げられる。また、金属色を呈する素材としては、たとえば樹脂中に微細な金属粒子や金属片を混入してなる塗料素材だけでなく、たとえば、金・銀・銅の箔又は薄膜、アルミニウム膜、ステンレス板など、金属膜や金属板そのものであっても構わない。
【００４４】
なお、本実施形態では、遮光性両面接着テープ４０、４０′、４０″の表面色が上記のように遮光領域や保持枠３０の表面色との間に十分な識別性を有するものであっても、電気光学装置１００が完成した後には当該表面色は遮光領域によって覆われることで外部から視認できなくなるので、上記表面色に起因する視認性の悪化などを招くことはない。
【００４５】
［第２実施形態］
図６は本発明に係る第２実施形態である別の電気光学装置２００の組み立て構造を示す概略斜視図、図７はその分解斜視図、図８は図６に示すVIII−VIII線に沿って切断した断面を示す拡大部分断面図である。この電気光学装置２００では、上記第１実施形態と同様に、照明体５０と、この照明体５０と平面的に重ねて配置される電気光学パネル組立体６０と、上記照明体５０及び電気光学パネル組立体６０を直接若しくは間接的に保持する保持枠７０とを備えている。
【００４６】
照明体５０は上記第１実施形態と同様の光源５１、導光板５２、及び、光学シート５４を有しているが、第１実施形態とは異なり、導光板１２の表裏両面より光を出射し、表裏両側をそれぞれ照明できるように構成されている。
【００４７】
また、電気光学パネル組立体６０は、照明体５０の表面側に配置される第１パネル６０Ａと、照明体５０の裏面側に配置される第２パネル６０Ｂとを有している。第１パネル６０Ａと第２パネル６０Ｂはフレキシブル配線基板（ＦＰＣ）等よりなる配線部材６０Ｃで接続され、また、第１パネル６０Ａの基板張り出し部には駆動回路６８が実装されるとともに、外部より電源電位や映像信号等を入力するための別の配線部材６０Ｄが実装されている。本実施形態の場合、配線部材６０Ｄから入力された電源電位や映像信号等に基づいて第１パネル６０Ａに実装された駆動回路６８で駆動信号が生成され、これらの駆動信号が第１パネル６０Ａを直接駆動するとともに、上記配線部材６０Ｃを介して第２パネル６０Ｂを駆動するように構成されている。また、上記配線部材６０Ｄ上には上記照明体５０の一部を構成する光源５１が実装されている。
【００４８】
保持枠７０はたとえば白色素材で構成され、好ましくは樹脂等により一体成型された部品となっている。保持枠７０は表裏両側を開口させた状態で上記照明体５０を保持するとともに、表面側において第１パネル６０Ａを保持し、裏面側において第２パネル６０Ｂを保持するように構成されている。また、保持枠７０は配線基板６０Ｄ上に実装された光源５１が導光板５２の端面（光入射面）に対向配置され、或いは、密接配置される態様で収容可能に構成される。
【００４９】
本実施形態では、図７及び図８に示すように、保持枠７０に保持された照明体５０の表裏両側に遮光性両面接着テープ８０をそれぞれ重ねるようにして接着固定し、これらの表裏両面上に電気光学パネル組立体６０の第１パネル６０Ａ及び第２パネル６０Ｂを組み込むようにしている。ここで、遮光性両面接着テープ８０は第１実施形態で示すものと同様に構成されている。そして、ステンレス板等で構成された外枠（ベゼル）９０を表側から保持枠７０に装着することによって、図６に示すように一体の両面表示体が構成される。
【００５０】
このような両面表示体では、電気光学パネルである第１パネル６０Ａと第２パネル６０Ｂが照明体５０の表裏両側に重ねて配置されることで、全体の厚みに対する制限がある場合には各パネルのそれぞれの薄型化の度合がさらに高まるため、各パネルを保持枠７０の表裏にそれぞれ組み込む際にはさらなる注意が必要となる。本実施形態では、先に説明した第１実施形態と同様の遮光性両面接着テープ８０を照明体５０の表裏両側にそれぞれ配置することで、各パネル６０Ａ、６０Ｂを組み込む際においてパネルに損傷を与える虞を低減している。
【００５１】
図９は、上記第２実施形態の照明体５０を組み込み済みの保持枠７０、及び、これに組み込まれる前の第１パネル６０Ａを表面側から見た様子を示す概略平面図である。第１パネル６０Ａの外周部には第１実施形態と同様の遮光層６５Ａで構成された遮光領域が矩形枠状に構成され、この遮光層６５Ａで構成される遮光領域の内側が駆動領域（表示領域）６０Ｘとなっている。
【００５２】
また、この遮光領域のさらに外側には透明な端縁部６９Ａが枠状に構成されている。この端縁部６９Ａは第１実施形態で説明したものと同様の理由で形成されたものである。したがって、第１パネル６０Ａを照明体５０が組み込まれた保持枠７０上にそのまま重ねて、保持枠７０内に正規に組み込まれた状態にすると、端縁部６９Ａを通して照明体５０上に配置された遮光性両面接着テープ８０の表面色が縁状に視認されるのに対して、第１パネル６０Ａが保持枠７０の上面に乗り上げた状態になると上記表面色が視認されなくなるので、さらに第１パネル６０Ａの外縁部の位置を容易に確認することが可能になり、その結果、第１パネル６０Ａの外縁部が保持枠７０上に乗り上げた状態で無理に第１パネル６０Ａを押し込むことで第１パネル６０Ａに損傷を与えるといった虞を低減できる。
【００５３】
図１０は上記第２実施形態の照明体５０を組み込み済みの保持枠７０、及び、これに組み込まれる前の第２パネル６０Ｂを裏面側から見た様子を示す概略平面図である。第２パネル６０Ｂにおいてもその外周部には遮光層６５Ｂで構成された遮光領域が矩形枠状に構成され、この遮光層６５Ｂで構成される遮光領域の内側が駆動領域（表示領域）６０Ｙとなっている。また、この遮光領域のさらに外側に透明な端縁部６９Ｂが枠状に構成されている。したがって、図９に示す場合と同様に、遮光性両面接着テープ８０の表面色が端縁部６９Ｂを通して視認されるか否かにより、第２パネル６０Ｂの組み込み作業時において損傷を与える虞を低減できる。
【００５４】
本実施形態では、パネルの厚みが極めて薄く、これに対応して保持枠７０の段差も小さくなっていることに加えて、第１パネル６０Ａと第２パネル６０Ｂが配線部材６０Ｃで連結された状態で、照明体５０が組み込まれてなる保持枠７０の表裏にそれぞれ組み込む作業が必要となるため、表裏いずれにも注意を払う必要があり、そのため、各パネルを損傷する確率が高くなっている。したがって、このような複雑な組み込み作業を行う場合には、上述のように遮光シートの表面色を設定することによる歩留まり向上の効果がきわめて高いものとなる。
【００５５】
［電子機器］
最後に、図１１を参照して上記電気光学装置１００、２００を搭載した電子機器の構成について説明する。図１１は、電子機器内に搭載された表示制御回路と電気光学装置１００との関係を示す概略構成図である。ここで、電子機器としては、たとえば、モニタ装置、テレビジョン装置、電子時計、携帯電話機、携帯型情報端末などが挙げられ、特に、電気光学装置を表示体として搭載してなる各種の電子機器が例示される。
【００５６】
図１１に示す電子機器は、表示情報出力源２９１と、表示情報処理回路２９２と、電源回路２９３と、タイミングジェネレータ２９４と、バックライトを構成する照明体１０への電力供給を行う光源制御回路２９５とを含む表示制御回路２９０を有する。この表示制御回路２９０は本発明の上記制御手段を構成する。また、電気光学装置１００には、上述の構成を有する液晶表示パネルである電気光学パネル２０と、この電気光学パネル２０を駆動する駆動回路２８と、電気光学パネル２０を照明するための照明体１０とが設けられている。この駆動回路２８は、上記のように電気光学パネル２０に直接実装されている電子部品で構成されるが、上記のような態様の他に、電気光学パネル２０の基板表面上に形成された回路パターン、或いは、電気光学パネル２０に導電接続された回路基板上に実装された半導体ＩＣチップ若しくは回路パターンなどによっても構成することができる。
【００５７】
表示情報出力源２９１は、ＲＯＭ（Read Only Memory）やＲＡＭ（Random Access Memory）等からなるメモリと、磁気記録ディスクや光記録ディスク等からなるストレージユニットと、デジタル画像信号を同調出力する同調回路とを備え、タイミングジェネレータ２９４によって生成された各種のクロック信号に基づいて、所定フォーマットの画像信号等の形で表示情報を表示情報処理回路２９２に供給するように構成されている。
【００５８】
表示情報処理回路２９２は、シリアル−パラレル変換回路、増幅・反転回路、ローテーション回路、ガンマ補正回路、クランプ回路等の周知の各種回路を備え、入力した表示情報の処理を実行して、その画像情報をクロック信号ＣＬＫと共に駆動回路２８へ供給する。駆動回路２８は、走査線駆動回路、信号線駆動回路及び検査回路を含む。また、電源回路２９３は、上述の各構成要素にそれぞれ所定の電圧を供給する。
【００５９】
光源制御回路２９５は、電源回路２９３から供給される電圧に基づいて照明体１０の光源１１に電力を供給し、所定の制御信号に基づいて光源の点灯の有無及びその輝度等を制御するようになっている。
【００６０】
尚、本発明は、上述の図示例にのみ限定されるものではなく、本発明の要旨を逸脱しない範囲内において種々変更を加え得ることは勿論である。例えば、上記の実施形態においては、液晶表示パネルを備えた液晶表示装置について説明したが、本発明は、液晶表示装置に限らず、有機エレクトロルミネッセンス表示装置や電気泳動表示装置などの他の電気光学装置であっても構わない。
【図面の簡単な説明】
【００６１】
【図１】第１実施形態の電気光学装置の分解斜視図。
【図２】図１のII−II線に沿った断面を示す拡大部分縦断面図。
【図３】第１実施形態の遮光性両面接着テープの拡大部分縦断面図。
【図４】別の遮光性両面接着テープの拡大部分縦断面図。
【図５】さらに別の遮光性両面接着テープの拡大部分縦断面図。
【図６】第２実施形態の電気光学装置の概略斜視図。
【図７】第２実施形態の電気光学装置の分解斜視図。
【図８】図６のVIII−VIII線に沿った断面を示す拡大部分縦断面図。
【図９】第１パネルと保持枠の平面形状を示す平面説明図。
【図１０】第２パネルと保持枠の平面形状を示す平面説明図。
【図１１】電子機器の内部構成を示す概略構成図。
【符号の説明】
【００６２】
１００、２００…電気光学装置、１０、５０…照明体、１１，５１…光源、１２、５２…導光板、１３…反射シート、１４、５４…光学シート、２０…電気光学パネル、２１，２２…基板、２５、６５Ａ，６５Ｂ…遮光層、２６，２７…偏光板、２８、６８…駆動回路、２９、６９Ａ、６９Ｂ…端縁部、３０、７０…保持枠、４０，８０…遮光性両面接着テープ、４０Ａ…遮光シート、４４…第４層（表面層）、６０…電気光学パネル組立体、６０Ａ…第１パネル、６０Ｂ…第２パネル、６０Ｃ、６０Ｄ…配線部材
【図１】
2008233455.tif 000003
【図２】
2008233455.tif 000004
【図３】
2008233455.tif 000005
【図４】
2008233455.tif 000006
【図５】
2008233455.tif 000007
【図６】
2008233455.tif 000008
【図７】
2008233455.tif 000009
【図８】
2008233455.tif 000010
【図９】
2008233455.tif 000011
【図１０】
2008233455.tif 000012
【図１１】
2008233455.tif 000013